(57)【要約】      （修正有）【課題】撮影時に被検者の顔と対物レンズの干渉を効果的に防止することが出来る眼科撮影装置を提供する。【解決手段】被検眼に対する画像撮影位置に位置決め自在な対物レンズを有する眼科撮影装置において、画像撮影時に被検者の顎を載せることの出来る顎受け７ｂを有し、顎受けは、右眼撮影用の左向き台７ｄと左眼撮影用の右向き台７ｃを有し、左向き台と右向き台は、検査眼配置対応位置を介して左右方向に所定角度だけ顔搭載方向を振り分けた形で形成配置され、被検眼の画像撮影時には、顎受けに支持された被検者の顔が、画像撮影位置に位置決めされた対物レンズに対して、左右方向に所定角度に対応した角度だけ回転した形で支持される眼科撮影装置。【選択図】図３
2019047983.tif 000002
【特許請求の範囲】
【請求項１】
被検眼に対する画像撮影位置に位置決め自在な対物レンズを有する眼科撮影装置において、
画像撮影時に被検者の顎を載せることの出来る顎受けを有し、
該顎受けは、右眼撮影用の左向き台と左眼撮影用の右向き台を有し、
前記左向き台と右向き台は、検査眼配置対応位置を介して左右方向に所定角度だけ顔搭載方向を振り分けた形で形成配置され、
前記被検眼の画像撮影時には、前記顎受けに支持された被検者の顔が、前記画像撮影位置に位置決めされた前記対物レンズに対して、左右方向に前記所定角度に対応した角度だけ回転した形で支持されることを特徴とした眼科撮影装置。
【請求項２】
前記検査眼配置対応位置には、凸状に形成された峰部が配置されていることを特徴とする請求項１記載の眼科撮影装置。
【請求項３】
前記左向き台は、該台に被検者の顎が乗せられた場合、前記被検者の右眼が前記検査眼配置対応の上方に配置されるように、
前記右向き台は、該台に被検者の顎が乗せられた場合、前記被検者の左眼が前記検査眼配置対応の上方に配置されるように、
その形状・寸法が決定されていることを特徴とする、請求項１記載の眼科撮影装置。
【請求項４】
前記所定角度は２０°であることを特徴とする、請求項１記載の眼科撮影装置。
【請求項５】
前記対物レンズは、広角レンズであることを特徴とする、請求項１記載の眼科撮影装置。
【請求項６】
前記右向き台と左向き台は、それぞれ下方に窪んだ溝の形に形成され、該溝の谷筋は、前記検査眼配置対応位置に対して左右方向に前記所定角度をなしてそれぞれ形成されている、請求項１記載の眼科撮影装置。
【発明の詳細な説明】
【技術分野】
【０００１】
本発明は、眼底カメラ、マイクロペリメータ等の眼科撮影装置に関わり、被検者の顔部と眼科撮影装置の対物レンズとの干渉を避けることの出来る眼科撮影装置に関する。
【背景技術】
【０００２】
眼底カメラ等の眼科撮影装置は、対物レンズを使用して眼底を撮影する際に、対物レンズの光軸と被検眼の視線とを合わせる必要があり、そのためには被検者は顔を装置、従って、対物レンズの正面に置いて撮影を行っていた。
【０００３】
最近、広角撮影用の対物レンズを搭載して広範囲に眼底を撮影せんとする試みがなされており、それに伴って、対物レンズの口径が大型化してきている。
【０００４】
対物レンズの口径が大型化すると、撮影時に対物レンズが被検者の鼻や睫毛などの顔の一部と接触干渉してしまい、適切な撮影が出来なくなる恐れがある。
【０００５】
特開２００２−１７７２２２には、眼科撮影装置の顎台を上下に回転可能にして対物レンズに対する被検者の顔の位置を上下にシフトさせることのできる眼科撮影装置が提案されているが、この装置では、撮影時の対物レンズと被検者の顔との干渉の問題を解決することはできなかった。
【特許文献１】特開２００２−１７７２２２号公報
【発明の概要】
【発明が解決しようとする課題】
【０００６】
本発明は、撮影時に被検者の顔と対物レンズの干渉を効果的に防止することが出来る眼科撮影装置を提供することを目的とする。
【課題を解決するための手段】
【０００７】
本発明の第１の観点は、被検眼（９ｂ、９ｃ）に対する画像撮影位置（Ｐ）に位置決め自在な対物レンズ（５）を有する眼科撮影装置（１）において、
画像撮影時に被検者の顎を載せることの出来る顎受け（７ｂ）を有し、
該顎受け（７ｂ）は、右眼撮影用の左向き台（７ｄ）と左眼撮影用の右向き台（７ｃ）を有し、
前記左向き台（７ｄ）と右向き台（７ｃ）は、検査眼配置対応位置（７ｅ）を介して左右方向に所定角度（α、β）だけ顔搭載方向を振り分けた形で形成配置され、
前記被検眼（９ｂ、９ｃ）の画像撮影時には、前記顎受け（７ｂ）に支持された被検者の顔が、前記画像撮影位置（Ｐ）に位置決めされた前記対物レンズ（５）に対して、左右方向に前記所定角度（α、β）に対応した角度だけ回転した形で支持されることを特徴とする。
【０００８】
本発明の第２の観点は、前記検査眼配置対応位置には、凸状に形成された峰部（７ｅ）が配置されていることを特徴とする。
【０００９】
本発明の第３の観点は、前記左向き台（７ｄ）は、該台に被検者の顎が乗せられた場合、前記被検者の右眼（９ｃ）が前記検査眼配置対応位置（７ｅ）の上方に配置されるように、
前記右向き台（７ｃ）は、該台に被検者の顎が乗せられた場合、前記被検者の左眼（９ｂ）が前記検査眼配置対応位置（７ｅ）の上方に配置されるように、
その形状・寸法が決定されていることを特徴とする。
【００１０】
本発明の第４の観点は、前記所定角度は２０°であることを特徴とする。
【００１１】
本発明の第５の観点は、前記対物レンズ（５）は、広角レンズであることを特徴とする。
【００１２】
本発明の第６の観点は、前記右向き台（７ｃ）と左向き台（７ｄ）は、それぞれ下方に窪んだ溝の形に形成され、該溝の谷筋（７ｈ）は、前記検査眼配置対応位置（７ｅ）に対して左右方向に前記所定角度（α、β）をなしてそれぞれ形成されていることを特徴とする。
【発明の効果】
【００１３】
本発明によれば、右向き台（７ｃ）と左向き台（７ｄ）とで顔搭載方向が所定角度（α、β）だけ振り分けられた顎受け（７ｂ）により、被検者が顎をそれぞれ右向き台（７ｃ）と左向き台（７ｄ）に載せることで、顔が自然と画像撮影位置（Ｐ）にある対物レンズ（５）に対して左右方向にそれぞれ回転した形で支持され、顔面が対物レンズ（５）と正対することが避けられ、鼻（９ｄ）や睫毛などの被検者の顔部が対物レンズ（５）と干渉接触する事態を回避することができる。
【００１４】
峰部（７ｅ）が右向き台（７ｃ）や左向き台（７ｄ）に支持された被検者の顎の左右方向の移動を防止することができ、撮影動作を円滑に行うことができる。
【００１５】
右向き台（７ｃ）又は左向き台（７ｄ）に被検者の顎が乗せられた場合、検査すべき目が常に検査眼配置対応位置（７ｅ）の上方に配置されるので、顎を載せかえる度に撮影のために対物レンズ（５）を移動させる手間がなくなり、好都合である。
【００１６】
なお、括弧内の番号等は、図面における対応する要素を示す便宜的なものであり、従って、本記述は図面上の記載に限定拘束されるものではない。
【図面の簡単な説明】
【００１７】
【図１】図１は、本発明が適用される眼科撮影装置である眼底カメラの一例を示す斜視図。
【図２】図２は、図１の眼底カメラの頭部支持台の一例を示す斜視図。
【図３】図３は、顎受けの一例を示す斜視図。
【図４】図４は頭部支持台に被検者の頭部を支持させた際の概略図であり、（ａ）は左向き台に、（ｂ）は右向き台に被検者の頭部を支持させた際の図である。
【発明を実施するための形態】
【００１８】
以下、図面に基づき、本発明の実施例を説明する。
【００１９】
眼科撮影装置である眼底カメラ１は、図１に示す様に、基台２を有しており、基台２にはカメラ本体３が、基台２に対して、図中矢印Ａ，Ｂ（上下方向）及びＣ，Ｄ（左右方向）及びＥ，Ｆ（前後方向）方向の直交３軸方向に公知の移動機位置決め機構を介して移動、位置決め自在に設けられている。カメラ本体３には、画角が１００°程度の広角レンズからなる対物レンズ５が、光軸Ｘを前述の矢印Ｅ，Ｆ方向に平行な水平方向に向けた形で配置されている。
【００２０】
基台２の、カメラ本体３の矢印Ｆ側には、頭部支持台６が設けられており、頭部支持台６は、図２に示す様に、基台２に立設された２本の支柱６ａ，６ａが設けられている。支柱６ａ、６ａの上端部には円弧状に形成された額当て６ｂが支柱６ａ，６ａ間を接続する形で設けられており、更に、支柱６ａ，６ａの中程には、顎載せ台７が支柱６ａ，６ａ間を接続する形で設けられている。
【００２１】
顎載せ台７は、支柱６ａ，６ａ間を接続するアーム部材７ａを有しており、アーム部材７ａのほぼ中程には、顎受け７ｂが設けられている。顎受け７ｂは、図１に示す様に、カメラ本体３と対向する形で配置されており、画像撮影位置Ｐに位置決めされたカメラ本体３の対物レンズ５の光軸Ｘが、顎受け７ｂの中央部に凸状に形成された峰部７ｅの図１上方を通過する形でアーム部材７ａに配置されている。顎受け７ｂは、図３に示す様に、検査眼配置対応位置である峰部７ｅを中心にして左右方向に右向き台７ｃと左向き台７ｄの二つの顎受け部を有しており、右向き台７ｃと左向き台７ｄはそれぞれ下方に凹んだ溝の形で形成され、被検者はそれら右向き台７ｃ又は左向き台７ｄに自らの顎を載せて、眼底カメラ１に対して所定の撮影位置を取ることが出来る。なお、右向き台７ｃと左向き台７ｄの下方に窪んだ溝の谷筋７ｈ，７ｈ（最も窪んだ部分が形成する線）の向きは、図３に示す様に、画像撮影位置Ｐに位置決めされた際の、カメラ本体３の光軸Ｘ、従って検査眼配置対応位置である峰部７ｅに対してそれぞれ左右方向に角度α、βの角度をなして形成されている。なお、角度α、βは同一の値であることが望ましいが、それに限らない。また、角度α、βは、２０°程度であることが望ましいが、それに限らない。
【００２２】
右向き台７ｃと左向き台７ｄは、それぞれ図３下向きの円弧状に形成された載せ台７ｆ、７ｆを有しており、各載せ台７ｆの前方、即ちカメラ本体３側には、側壁７ｇ、７ｇが形成されている。二つの側壁７ｇ、７ｇは、図１に示す様に、全体が連続したカメラ本体３側に突出した円弧状に形成されており、右向き台７ｃと左向き台７ｄにそれぞれ顎を載せ、額を額当て６ｂに当接させた状態、従って撮影状態の被検者９は、図４（ａ）に示す様に、例えば左向き台７ｄに顎を載せた被検者９は、顔搭載方向が、顔の正面９ａがカメラ本体３の光軸Ｘ（カメラ本体３が眼底画像撮影に際して被検眼に対して適切な画像撮影位置Ｐに位置決めされた際の、カメラ本体３の光軸Ｘ、以下同様）に対して図３に示す様に角度β(又は、角度βに対応する角度)だけ左方、即ち矢印ＦＳ２方向に向いた右眼撮影位置に位置決めされ、また右向き台７ｃに顎を載せた被検者９は、図４（ｂ）に示す様に、顔搭載方向が、顔の正面９ａがカメラ本体３の光軸Ｘに対して図３に示す様に角度α(又は、角度αに対応する角度)だけ右方、即ち矢印ＦＳ１方向に向いた右眼撮影位置に位置決めされる。
【００２３】
なお、右向き台７ｃと左向き台７ｄは、それらの台に被検者９の顎が載せられた場合、被検者９の右眼９ｃ又は左眼９ｂが、検査眼配置対応位置である峰部７ｅの図１上方にほぼ配置されるように、右向き台７ｃと左向き台７ｄ及び峰部７ｅの形状・寸法が決定されている。当然、被検者毎の左右の眼の位置には個人差はあるが、多数の被検者の顔における眼の位置を統計的に処理して平均的な眼の左右方向における位置を求め、当該求められた左右の眼の位置（例えば、顔の中心としての鼻を基準に左右方向への距離など）に基づいて右向き台７ｃと左向き台７ｄ及び峰部７ｅの形状・寸法を決定する。こうした顔の造作に関するデータは豊富に入手が可能であり、右向き台７ｃと左向き台７ｄに被検者９の顎が載せられた場合、被検者９の右眼９ｃ又は左眼９ｂが、峰部７ｅの図１上方にほぼ配置されるように、右向き台７ｃと左向き台７ｄ及び峰部７ｅの形状・寸法を決定することは、容易である。
【００２４】
眼底カメラ１は以上のような構成を有するので、被検者９の左右の眼について、眼底カメラ１を用いて眼底画像を取得する場合には、該被検者９の頭部を頭部支持台６に、額を額当て６ｂにあてて、顎を顎載せ台７に載せる形で行う。もちろん医療現場で眼底撮影を行う場合には、左眼のみの撮影、あるいは右眼のみの撮影をすることもあるし、両眼撮影の場合の右左の順番は任意であるが、説明の都合上、以下、右眼をまず撮影し、その後、左眼を撮影する場合について説明する。
【００２５】
まず、被検者９の右眼９ｃの眼底画像を取得する場合、被検者９の顎を顎受け７ｂの左向き台７ｄにのせる。すると、被検者９の顔は、図４（ａ）に示す様に、正面９ａが矢印ＦＳ２方向、即ち、カメラ本体３の光軸Ｘに対して角度βだけ図中左方に向いた形で頭部支持台６に位置決めされる。また、カメラ本体３を図１の図中矢印Ａ，Ｂ（上下方向）及びＣ，Ｄ（左右方向）及びＥ，Ｆ（前後方向）方向の直交３軸方向に移動させて、図４（ａ）に示す様に、カメラ本体３を対物レンズ５の光軸Ｘが撮影すべき右目９ｃと一致した画像撮影位置Ｐに位置決めする。すると、被検者９の顔は、画像撮影位置Ｐにあるカメラ本体３の対物レンズ５に対して、図中左方に背けた形に位置決めされるので、鼻９ｄや図示しない睫毛などが対物レンズ５に対して図中左方にシフトされる形となって、対物レンズ５との干渉が回避される。
【００２６】
この状態で、被検者９に対物レンズ５の方向に視線を向けるように促す。すでに述べたように、左向き台７ｄに被検者９が顎を載せた状態では、被検者９の右眼９ｃは、図４（ａ）に示すように、顎載せ７ｂの峰部７ｅの図１上方に位置することとなり、峰部７ｅの図１上方には、既に呼べたように画像撮影位置Ｐに対物レンズ５の光軸Ｘが配置されているので、対物レンズ５の光軸Ｘを、対物レンズ５の方向に視線を向けた被検者９の右眼９ｃにある程度一致させることで、右眼９ｃの眼底撮影を開始できる状態になる。
【００２７】
この状態で、まず撮影する被検眼と眼底カメラ１の位置をある程度合わせるため、眼底カメラの位置を前後左右に動かす。
【００２８】
ある程度位置が合えば、眼底カメラの光学系を被検眼の視度に合わせてピントあわせを行い、その次に撮影部位を所望の場所にするため、被検者に固視灯を見るように促す。固視灯は主に特開２００１−２５８８５２に示されているような内部固視灯や特開２００４−１３５９４１に示されているような外部固視灯があるが、ここでは内部固視灯を使う場合について説明する。内部固視灯は対物レンズを通して撮影されるほうの眼で固視灯を視認するもので、固視灯を予め複数の異なる位置に配置しておき、点灯される固視灯を選択することで撮影部位を定めることができる。
【００２９】
撮影部位が決定したら、眼底カメラ１を再度前後左右に微調整し、対物レンズ５の光軸Ｘと被検眼の位置を極力正確に合わせる。
【００３０】
この位置合わせが正確な状態である時に、眼底カメラ１にあるシャッタボタンを操作して、被検者９の右眼９ｃの眼底を撮影する。その後、被検者９の左眼９ｂの撮影に移る。
【００３１】
それには、被検者９に対して被検者９の顎を、それまで載せていた顎受け７ｂの左向き台７ｄから、右向き台７ｃに載せ替えるように促す。すると、被検者９の顔は、図４（ｂ）に示す様に、正面９ａが矢印ＦＳ１方向、即ち、カメラ本体３の光軸Ｘに対して角度αだけ図中右方に向いた形で頭部支持台６に位置決めされる。また、必要に応じてカメラ本体３を図１の図中矢印Ａ，Ｂ（上下方向）及びＣ，Ｄ（左右方向）及びＥ，Ｆ（前後方向）方向の直交３軸方向に移動させて、図４（ｂ）に示す様に、カメラ本体３を対物レンズ５の光軸Ｘが撮影すべき左眼９ｂと一致した画像撮影位置Ｐに位置決めする。すると、被検者９の顔は、画像撮影位置Ｐにあるカメラ本体３の対物レンズ５に対して、図中右方に背けた形に位置決めされるので、鼻９ｄや図示しない睫毛などが対物レンズ５に対して図中右方にシフトされる形となって、対物レンズ５との干渉が回避される。
【００３２】
この状態で、被検者９に対物レンズ５の方向に視線を向けるように促す。すでに述べたように、右向き台７ｃに被検者９が顎を載せた状態では、被検者９の左眼９ｂは、図４（ｂ）に示すように、顎載せ７ｂの峰部７ｅの図１上方に位置することとなり、峰部７ｅの図１上方には、既に呼べたように画像撮影位置Ｐに対物レンズ５の光軸Ｘが配置されているので、対物レンズ５の光軸Ｘを、対物レンズ５の方向に視線を向けた被検者９の左眼９ｂに正確に一致させることで、左眼９ｂの眼底撮影の準備が完了する。
【００３３】
この状態で、眼底カメラ１を操作して、被検者９の左眼９ｂの眼底を撮影する。
【００３４】
以上、説明したように、顎受け７ｂに、右眼９ｃの撮影用の左向き台７ｄ、左眼９ｂの撮影用の右向き台７ｃを、中央の峰部７ｅ等の検査眼配置対応位置（画像撮影位置Ｐに対応）を介して左右方向に角度β、αずつ顔搭載方向を振り分けた形で形成配置したので、画像撮影位置Ｐに位置決めされるカメラ本体３の対物レンズ５に対して、被検者９の顔がそれぞれ左又は右に角度β、αに対応する角度だけ回転する形で支持され、被検者９の鼻や睫などが対物レンズ５と干渉することが回避される。
【符号の説明】
【００３５】
１……眼科撮影装置（眼底カメラ）
５……対物レンズ
７ｂ……顎受け
７ｃ……右向き台
７ｄ……左向き台
７ｅ……検査眼配置対応位置（峰部）
７ｈ……谷筋
９ｂ、９ｃ……被検眼
９ｄ……鼻
Ｐ……画像撮影位置
α、β……所定角度
【図１】
2019047983.tif 000003
【図２】
2019047983.tif 000004
【図３】
2019047983.tif 000005
【図４】
2019047983.tif 000006